(57)【要約】【課題】線材の耐力を増加させず、小さな設備で、線材の長手方向の反りおよび幅方向曲がりなどの変形を矯正することを可能とする。【解決手段】コイル状に巻き取られた線材を引き出す線材引出し手段と、前記線材の引き出し方向に沿って設けられるとともに、前記線材の厚さ方向に互い違いに設けられる複数の矯正ロールと、前記矯正ロールに設けられる線材の幅と略同じ溝幅を有する凹溝２０であって、前記引き出される線材の厚さ方向に曲げを加えるとともに、幅方向の変形を規制する凹溝とを備える。【選択図】    図１
2008284560.tif 000002
【特許請求の範囲】
【請求項１】
コイル状に巻き取られた線材を引き出す線材引出し手段と、
前記線材の引き出し方向に沿って設けられるとともに、前記線材の厚さ方向に互い違いに設けられる複数の矯正ロールと、
前記矯正ロールに設けられる線材の幅と略同じ溝幅を有する凹溝であって、前記引き出される線材の厚さ方向に曲げを加えるとともに、幅方向の変形を規制する凹溝と、
を備えた線材矯正装置。
【請求項２】
前記凹溝は、前記線材の幅／厚さの比が１〜６０である前記線材に対応した溝幅と深さを有する請求項１記載の線材矯正装置。
【請求項３】
前記凹溝の溝側面と、該凹溝の設けられていない前記矯正ロールの表面とが交わる前記凹溝開口の角部に丸みまたは面取りを施した請求項１または２記載の線材矯正装置。
【請求項４】
前記凹溝開口の角部の丸みが０．０５ｍｍ〜２ｍｍであることを特徴とする請求項３に記載の線材矯正装置。
【請求項５】
前記溝開口の角部の面取り寸法が０．０５ｍｍ〜２ｍｍであることを特徴とする請求項３に記載の線材矯正装置。
【請求項６】
前記凹溝を設けられる矯正ロールが、
両端面に凸状の係止部または凹状の被係止部を有し、側面が前記リング状の凹溝の底面を構成する円柱状のロール本体と、
前記ロール本体の両端面にそれぞれ突合して前記凹溝の側面を形成するリング平面を有し、該リング平面に前記ロール本体の係止部または被係止部が係止される、凹状の被係止部または凸状の係止部を有する一対のリング状のガイドリングと、
から構成され、
前記ロール本体の係止部または被係止部に、前記ガイドリングの被係止部または係止部を取り外し可能に係止してなる請求項１ないし請求項５のいずれかに記載の線材矯正装置。
【請求項７】
前記矯正ロールの前記線材の引き出し方向の上流側に、前記線材にテンションを負荷するテンション負荷手段を設けた請求項１ないし６のいずれかに記載の線材矯正装置。
【請求項８】
前記矯正ロールの前記線材の引き出し方向の上流側に、その自重により前記線材にテンションを負荷する移動自在なローラを有する請求項１ないし６のいずれかに記載の線材矯正装置。
【請求項９】
隣接する太陽電池セル同士をリード線を介して電気的に接続する太陽電池の組立て装置であって、前記リード線の矯正装置として請求項１から８のいずれかに記載の線材矯正装置を備えたことを特徴とする太陽電池の組立て装置。
【発明の詳細な説明】
【技術分野】
【０００１】
本発明は線材矯正装置及び太陽電池の組立て装置に係り、特に反りや蛇行などの変形のある線材を真っ直ぐに矯正するための線材矯正装置、及びこの線材矯正装置を用いて太陽電池セル同士をリード線を介して接続する太陽電池の組立て装置に関するものである。
【背景技術】
【０００２】
幅と厚さの比（幅／厚さ）が大きい板材のような線材は、ボビンなどに巻かれた状態で保管、搬送されるのが一般的である。例えば太陽電池で発電された電力を集電する導体として使われるはんだめっき平角線も上述した線材に含まれ、ボビンなどに巻かれて供給される。このような線材の主な製造方法としては次の２通りの工法が用いられている。一つは上下に刃が対となって配置されているスリッタによって、幅広の板材から裁断する工法である。もう一つは丸線を圧延して製造する工法である。
【０００３】
ここで、スリッタによる裁断工法によって得られた線材においては線材両側面を裁断する際の不均一に起因して、また圧延製造工法によって得られた線材においては線材幅方向の圧延条件の不均一に起因して、ともに図１０（ａ）に示すように、線材８０の線材幅方向に湾曲や蛇行などの変形８１が形成されてしまう。また、線材には、ボビンへの巻き付けに伴う巻き癖が付いてしまい、図１０（ｂ）に示すように、線材８０の長手方向に反り（湾曲）９１が生じてしまう。太陽電池セルの組立てに用いるリード線もボビンから巻き出した後には反りが残留してしまう。反りが残留したまま太陽電池セルの組み立てを実施すると、搬送時に引っかかり、リード線に湾曲、蛇行、あるいは反りといった変形を生じさせてしまう問題がある。
【０００４】
よって、これらの湾曲、蛇行、及び反りといった変形を矯正するための線材矯正装置が、従来、種々提案されている。
例えば、図１１に示すように、固定治具８２で線材８０の一端をクランプし、移動治具８３によって線材８０の他端を引っ張ってテンションを負荷し、線材に伸びを与えるストレッチャ式装置がある。また、図１２に示すように、線材８０の上下に、線材の引き出し方向に沿って千鳥状にロールレベラ（矯正ロール）としての水平ロール１０１を複数個配置してなるローラレベラ式装置がある。同種の矯正装置として、図示しないが、水平ロールの前後にテンションを負荷するためのブライドルロールをそれぞれ配置してなるテンションレベラ式装置もある。さらに、図１３に示すような線材８０の引き出し方向に沿って上下に千鳥状に複数個配置される複数の水平ロール１０１と、線材の幅方向両側に設けられる複数の垂直ロール１０２とを備えて、線材の長手方向形状のみならず幅方向形状を矯正する改善ローラレベラ式装置がある。
【０００５】
上記のような線材矯正装置により矯正された線材を、例えば、シリコン製の太陽電池セル同士を接続するリード線として用いる場合には、太陽電池セルに対してはんだ接続されるものである。この場合の線材は導電性を考慮して銅をベースにしたものを用いるのが一般的である。しかし、シリコンと銅をベースにした線材との熱膨張係数は大きく異なるため、はんだ接続後の太陽電池セルには熱応力による反りが発生する。そのためこれを防止する目的で、線材の材料としては耐力を低減させたものが用いられている。線材の軟質性を確保して太陽電池セルの反りを小さくするためである。
【０００６】
上述した線材矯正装置を有する設備の一つに太陽電池の組立て装置がある。太陽電池の組立て装置の中では、線材の反りなどの変形を除去する装置として、図１１に示したストレッチャ構造の方式が一般的に採用されてきた。これは矯正ロールを使わないため、比較
的簡単な構造でリード線の反り、幅方向の湾曲などの変形を矯正できるからである。
【０００７】
しかし、ストレッチャ方式では、テンションを負荷して材料を引き伸ばし、それによって内部の残留応力分布を減らして残留応力を均一化し、線材の形状を平坦化させるようにしている。このため、耐力を低減させた線材を用いても、線材に伸びが与えられ、線材材料が加工硬化を引き起こすために耐力が増加してしまうという欠点があった。これにより、太陽電池セルにはんだ接続した際に、太陽電池セルが反ってしまうという問題があった。
【０００８】
そこで、ストレッチャ方式に代わる方法として図１２に示したローラレベラ式が考えられる。ローラレベラ式は複数の水平ロール１０１が上下に配置された中に、線材を通過させる方式であるので、ボビンへの巻き癖など線材長手方向の湾曲の矯正には効果がある。また、この方式であれば、線材の厚さ方向の一部分のみを塑性変形させ、応力分布をバランスさせることで形状矯正できる。このように加工硬化を抑えながら形状矯正の効果を得ることができるので、太陽電池セルの反りを少なくすることができる。しかし、水平ロール１０１のみで矯正しているので、幅方向の変形である蛇行を矯正することは困難である。
【０００９】
そのため、これに対応するものとして、図１３に示したように水平ロール１０１に加えて垂直ロール１０２を配置し、それによって線材長手方向の変形のみならず、幅方向の変形も矯正することが可能な改善ローラレベラ式装置が提案されている（例えば、特許文献１参照）。これによれば、線材長手方向の反りを矯正するときに、使用する線材の幅制約を受けないメリットがある。なお、この方式では、図示するように、垂直ロール１０２にガイド１０３が設けられているが、これは幅矯正をする際に線材８０が垂直ロール１０２からの側方力を受けて、横転するのを防止するためである。
【００１０】
また、図１４に示すように、改善ローラレベラ式装置において、さらに一歩進めて、垂直ロール１０２に線材幅方向に押圧機構１０５を設け、線材８０の幅方向サイズが変わっても、そのサイズに垂直ロール１０２を合わせることも行われている。
【特許文献１】特開２００７−４４７３４
【発明の開示】
【発明が解決しようとする課題】
【００１１】
しかしながら、上述した特許文献１に記載の技術では、線材の耐力の増加を防止することは可能となるものの、調整すべき矯正ロールの数が多くなり、設備が大型化すると共に、作業性が悪くなるという問題があった。また、押圧機構を設けるものでは、設備が大型化すると共に、調整によっては線材を変形させてしまうという問題があった。これらの問題は厚さに対して幅が大きい板材以外の線材にも共通する。
【００１２】
本発明の目的は、線材の耐力を増加させず、小さな設備で、線材の長手方向の反りおよび幅方向曲がりなどの変形を矯正することが可能な線材矯正装置を提供することにある。
本発明のもう一つの目的は、上述した線材矯正装置を用いて太陽電池用のリード線の形状を有効に矯正することが可能な太陽電池の組立て装置を提供することにある。
【課題を解決するための手段】
【００１３】
本発明の態様によれば、コイル状に巻き取られた線材を引き出す線材引出し手段と、前記線材の引き出し方向に沿って設けられるとともに、前記線材の厚さ方向に互い違いに設けられる複数の矯正ロールと、前記矯正ロールに設けられる線材の幅と略同じ溝幅を有する凹溝であって、前記引き出される線材の厚さ方向に曲げを加えるとともに、幅方向の変形を規制する凹溝と、を備えた線材矯正装置が提供される。
【００１４】
前記凹溝は、前記線材の幅／厚さの比が１〜６０である前記線材に対応した溝幅と深さを有するものとすることができる。また、前記凹溝の溝側面と、該凹溝の設けられていない前記矯正ロールの表面とが交わる前記凹溝開口の角部に、丸みまたは面取りを施すことが好ましい。また、前記凹溝開口の角部の丸みを０．０５ｍｍ〜２ｍｍとするのが好ましい。また、前記溝開口の角部の面取り寸法を０．０５ｍｍ〜２ｍｍとするが好ましい。
【００１５】
前記凹溝を設けた溝付きの矯正ロールは、両端面に凸状の係止部または凹状の被係止部がそれぞれ設けられ、側面が前記リング状の凹溝の底面を構成する円柱状のロール本体と、前記ロール本体の両端面にそれぞれ突合して前記凹溝の側面を形成するリング平面を有し、該リング平面に前記ロール本体の係止部または被係止部が係止される、凹状の被係止部または凸状の係止部を有する一対のリング状のガイドリングと、から構成し、前記ロール本体の係止部または被係止部に、前記ガイドリングの被係止部または係止部を取り外し可能に係止するようにすることができる。
【００１６】
前記矯正ロールの前記線材の引き出し方向の上流側に、前記線材にテンションを負荷するテンション負荷手段を設けることが好ましい。また、前記矯正ロールの前記線材の引き出し方向の上流側に、その自重により前記線材にテンションを負荷する移動自在なローラを設けることが好ましい。
【００１７】
隣接する太陽電池セル同士をリード線を介して電気的に接続する太陽電池の組立て装置であって、前記リード線の矯正装置として上述した線材矯正装置を備える太陽電池の組立て装置を提供することができる。
【発明の効果】
【００１８】
本発明の線材矯正装置によれば、線材の耐力を増加させず、小さな設備で、線材の長手方向の反りおよび幅方向曲がりなどの変形を矯正することができる。
また、本発明の太陽電池の組立て装置によれば、本発明の線材矯正装置を用いているので、太陽電池用のリード線の形状を有効に矯正することができる。
【発明を実施するための最良の形態】
【００１９】
以下、本発明の好適な一実施の形態を添付図面に基づいて説明する。
【００２０】
図１に、本発明の好適な一実施の形態に係る線材矯正装置の概略図を示す。図１（ａ）は平面図、図１（ｂ）は側面図を示している。
【００２１】
図１（ａ）、（ｂ）に示すように、本実施の形態に係る線材矯正装置１０は、コイル状に巻き取られた線材、例えば偏平線材１１を水平方向（図１（ａ）、図１（ｂ）中では左右方向）に引き出す線材引出し手段（図示せず）を備える。ここで言う偏平線材１１とは、幅と厚さの比（幅／厚さ）が１以上の線材のことであり、厚さに対して幅が広い板材や断面ほぼ正方形状の線材も含まれる。また、、線材引出し手段は、例えばモータ、このモータにより軸回転するスクリューロッド、スクリューロッドの回転とともに進退する線材用クランプなどから構成することができる（線材引出し手段の詳細については、例えば特開２００３−２９８０９６を参照）。
【００２２】
また、線材矯正装置１０は、水平方向に引き出される偏平線材１１の厚さ方向となる上下に設けられ、偏平線材１１の引き出し方向に沿って互い違い状、例えば千鳥状に配置される矯正ロールとしての水平ロール１２を複数個備える。これらの水平ロール１２は回転自在とされる。
水平ロール１２の側面全周には、線材長手方向及び線材幅方向の変形の矯正するための
リング状の凹溝２０が形成されている。凹溝２０は、ロール両端側より内側の中間部に設けられる。凹溝２０は、例えば、円柱状ロール（円筒ロールも含む）からの一体削り出し構造とすることができる。このようにして水平ロール１２は溝付き水平ロールとされる。
【００２３】
凹溝２０の溝形状は、溝底面は偏平線材が線接触するようフラットとし、溝側面が溝底面に対して垂直な断面矩形状とするのが好ましい。この矩形状の凹溝２０の溝幅は、偏平線材１１の幅と略同じとする。また、凹溝２０の深さは偏平線材１１の厚さよりも浅くするのがよい。凹溝２０の深さを偏平線材１１の厚さよりも浅くすると、水平ロール１２間の隣接配置距離を可能な範囲で接近できるからである。なお、凹溝２０の深さが浅すぎると、凹溝２０外側の水平ロール１２上に乗り上げてしまうので好ましくない。したがって、凹溝２０の深さは、上下に配置される水平ロール１２の凹溝２０の底面により、線材厚さ方向両側から偏平線材１１に付与される押圧力が最適となるような深さとするのがよい。
【００２４】
次に、本実施の形態の作用を説明する。
【００２５】
ボビンなどにコイル状に巻き取られた偏平線材１１を線材引出し手段により水平方向に引き出して、互い違い状に配置された複数の水平ロール１２間の凹溝２０内を通過させる。すると、偏平線材１１は複数本の水平ロール１２の凹溝２０の底面からの押圧力によって、偏平線材１１の厚さ方向に引き返し曲げが加えられ、線材長手方向の湾曲（反り）が矯正される。このとき、水平ロール６の凹溝２０の両側面からの押圧力によって、偏平線材１１の線材幅方向の変形も規制され、それによって蛇行や湾曲などの幅方向の変形が同時に矯正される。
【００２６】
このように、偏平線材１１は、各水平ロール１２に設けた凹溝２０によって垂直方向および水平方向の動きが抑制、制限された状態で、複数の水平ロール１２を通される。その結果、線材長手方向の変形である長手方向の反りだけでなく、線材幅方向の変形である蛇行なども矯正することができ、平坦性が向上し巻き癖などが解消された真っ直ぐな線材が得られる。
【００２７】
また、本実施の形態に係る線材矯正装置１０における溝付き水平ロール１２は、従来の線材矯正装置における改善ローラレベラ式装置（図１３参照）と比べて、垂直ロールを省略して設備を小型化することができ、作業性も良好になる。したがって、この線材矯正装置１０を既存、既設の設備に対して容易に組み込むことができる。
【００２８】
また、従来のストレッチャ式だと偏平線材に引張力を作用させて永久ひずみが残留するように塑性変形させるので、線材の耐力が増加してしまっていたが、本実施の形態だと押圧力による矯正であり、塑性変形させないので、偏平線材の耐力の増加を抑えることができる。
【００２９】
ここで、偏平線材が太陽電池用リード線である場合には、その０．２％耐力値は、主に「９ＯＭＰａ以下」のものが対象とされる。９０ＭＰａよりも大きい場合には、従来方式の線材矯正装置によってもある程度対応可能となるからである。
【００３０】
なお、水平ロール１２のロールの直径は、偏平線材１１の厚さに応じて適宜変更されるものであるが、偏平線材１１の厚さの５０〜５００倍、好ましくは１００〜３００倍、より好ましくは１５０〜２５０倍とされる。ロール径が小さすぎると、変形を矯正させる効果が強すぎて、新たな変形が生じるおそれがある。一方、ロール径が大きすぎると、変形を矯正させる効果が不足するので、残留変形量が大きくなってしまう。
【００３１】
図２に水平ロール１２に設けた凹溝２０の実施の形態を示す。水平ロール１２は偏平線材１１が触れるエッジの部分（Ａ部）に丸み加工Ｒ（図２（ｃ））、もしくは面取り加工Ｃ（図２（ｄ））を施したものとなっている。ここでエッジの部分（Ａ部）は、凹溝２０の溝側面と、凹溝２０の設けられていない水平ロール１２の表面とが交わる凹溝開口の角部である。また、凹溝２０の設けられていない水平ロール１２の表面は、水平ロール１２の両端に設けられ、凹溝２０が設けられるロール内側よりも径の大きなガイドリング２１で構成される。
上記丸み加工Ｒ寸法、もしくは面取り加工Ｃ寸法は、共に０．０５ｍｍｍ〜２．０ｍｍの範囲にあることが望ましい。０．０５ｍｍよりも小さいと偏平線材１１の幅方向側面を削ってしまうことになり、逆に２．０ｍｍよりも大きいと偏平線材１１がロールの凹溝２０の上のガイドリング２１に乗り上げてしまい、形状矯正ができないからである。
【００３２】
ところで、凹溝２０を上述したように円柱状ロールからの一体削り出し構造とすると、凹溝の幅を変更できない。凹溝の幅を変更できないと、偏平線材１１の幅方向の寸法が規制されるので、偏平線材１１の幅方向サイズの変更に容易に追従させることができない。そこで、幅方向サイズが複数種類以上あっても、偏平線材１１の幅方向サイズに容易に追従できることが好ましい。
【００３３】
図３はそのような偏平線材１１の幅方向サイズに容易に追従できる本実施の形態の変形例を示す。図３（ａ）に示す水平ロール１２の両端に設けられるガイドリング２１が取り外し可能であり、水平ロール１２の加工部の長さＷを変更できる構造となっているものである。
【００３４】
すなわち、図３（ｂ）、（ｃ）に示すように、溝付きの水平ロール１２は、ロール本体２２と、１対のガイドリング２１とから構成されるはめ込み構造となっている。
ロール本体２２、２２ａは円柱状であって、両端面に凸状の係止部２４、２４ａを有し、側面２３、２３ａの全周がリング状の凹溝２０の底面を構成する。凸状の係止部２４、２４ａは、例えば凹溝２０の底面を構成するロール本体２２、２２ａの径よりも小径のロール軸とされる。
ガイドリング２１はリング状であって、ロール本体２２、２２ａの両端面にそれぞれ突合して凹溝２０の側面を形成するリング平面を有し、このリング平面にロール本体２２の係止部２４、２４ａが係止される凹状の被係止部２５を有する。凹状の被係止部２５は例えば前記ロール軸が嵌入される係止穴とされる。
ロール本体２２の係止部２４、２４ａにガイドリング２１の被係止部２５を係止することにより、図３（ａ）に示す溝付き水平ロール１２が組立てられる。ロール本体２２、２２ａはガイドリング２１に対して取り外し可能とされる。
【００３５】
水平ロール１２が、このような組立て自在な溝付きロールであると、図３（ｂ）、（ｃ）のように長さの異なるロール本体２２、２２ａ（Ｗ１＜Ｗ２）を複数種類用意しておくことにより、水平ロール１２の長さを容易に変更できる。
したがって、水平ロール１２がこのような構造であれば、線材幅方向の寸法が異なる偏平線材１１を矯正する際にも、異なる線材幅に簡単に対応することができ、従来の押圧機構を設けるものと比べて、線材の幅方向に無理な力を加えないために、偏平線材の両端を変形させることが無い。
【００３６】
また、偏平線材１１の幅方向端部が接触するエッジの部分（Ｂ部）については、一体削り出し構造の場合、通常の機械加工では必ず丸みＲが残ってしまうため（図３（ｄ））、丸みＲが偏平線材を変形させてしまう可能性があった。ここでエッジの部分（Ｂ部）は、凹溝２０の底面と、凹溝２０の側面とが交わる凹溝底部の角部である。しかし、本実施の形態の組合わせ構造では、ガイドリング２１のリング平面をロール本体２２、２２ａの端
面に突き当てる構造となるので、Ｂ部に丸みＲが残らないため、偏平線材を変形させることがない（図３（ｅ））。
【００３７】
図４に線材矯正装置１０の変形例を示す。この変形例は、水平ロール１２の偏平線材１１の引き出し方向の上流側に、偏平線材１１にテンションを負荷するテンション負荷手段３０を設けたものである。このテンション負荷手段３０は、上下動自在なロール、例えばテンション付与用のロール３１と、ガイドロール３２とを備えており、そのテンション付与用のロール３１の自重によって偏平線材１１にテンションが負荷される。このテンションの負荷によって、偏平線材１１を安定して引き出すことができ、線材幅方向及び線材長手方向の変形を矯正する際にばらつきが生じるおそれがなく、より真っ直ぐな偏平線材１１を得ることができる。
本装置を用いて偏平線材１１の形状矯正を行ったところ、線材の長手方向の反り、および幅変形である蛇行が共に矯正され、より平坦性を向上させることができた。
【００３８】
なお、上述した実施の形態では、いずれも矯正ロールを水平ロールとしたが、垂直ロールとしても良い。この場合、ボビンからは垂直方向に線材を引き出すようにする。
【００３９】
図５に本実施の形態に係る線材矯正装置１０を組み込んだ太陽電池の組立て装置４０の概略平面図を示す。
【００４０】
太陽電池の組立て装置４０は、偏平線材（リード線）１１を把持する前部クランプ装置４１と後部クランプ装置４２とを備える。前部クランプ装置４１は後部クランプ装置４２に対して往復移動可能に設けられる。前部クランプ装置４１および後部クランプ装置４２間に位置して切断装置４３が設けられる。そして、ボビン４４にロール状に巻きとられた偏平線材１１が、前部クランプ装置４１に把持されて所定長、ボビン４４から引き出される。偏平線材１１が引き出される際、ボビン４４と後部クランプ装置４２との間に設けた線材矯正装置１０により、偏平線材１１を直線状に矯正する。矯正された偏平線材１１は切断装置４３により設定長さに切断される。切断されたリード線１１ａは、吸着装置４５に吸着され、搬送装置４６上を設定位置に搬送された太陽電池セル５０の接着位置に供給されてはんだ接続される。これにより隣接する太陽電池セル同士がリード線１１ａを介して電気的に接続される（太陽電池の組立て装置４０の詳細については、例えば特開２００３−２９８０９６を参照）。
【００４１】
上述したように本実施の形態に係る線材矯正装置１０を太陽電池の組立て装置４０に組み込むことで、図６に示すように、隣接する太陽電池セル５０同士を真直に矯正したリード線１１ａで、所定の位置に高精度に接続することができる。また、従来のストレッチャ式だと偏平線材に引張力を作用させて永久ひずみが残留するように塑性変形させるのでリード線１１ａの耐力が増加する。これに対して本実施の形態だと銅をベースにしたリード線１１ａの耐力の増加を抑えることができるので、シリコン製の太陽電池セル５０の反りを有効に低減できる。
【００４２】
よって、線材矯正装置１０を組み込んだ太陽電池の組立て装置４０によれば、隣接する太陽電池セル５０同士をリード線１１ａを介して精度よく、かつ、確実に接続することができ、電気的信頼性の高い太陽電池モジュールを歩留まりよく製造することができる。
【００４３】
また、太陽電池用の組立て装置内に組込む実施の形態の線材矯正装置は小さいため、太陽電池用の組立て装置を小型化することが可能となる。  
【００４４】
本発明の好ましい形態を付記する。
【００４５】
本実施の一形態によれば、コイル状に巻き取られた線材を引き出す線材引出し手段と、前記線材の引き出し方向に沿って設けられるとともに、前記線材の厚さ方向に互い違いに設けられる複数の矯正ロールと、前記矯正ロールに設けられる線材の幅と略同じ溝幅を有する凹溝であって、前記引き出される線材の厚さ方向に曲げを加えるとともに幅方向の変形を規制する凹溝と、を備えた線材矯正装置を提供できる。
複数の矯正ロールの間の凹溝を線材が引き出されると、凹溝の底面により線材に線材厚さ方向両側から押圧力が付与される。また、凹溝の両側面により前記線材の幅方向両側から押圧力が付与される。したがって、矯正ローラに凹溝を設けるだけの簡単な構造で、線材長手方向及び線材幅方向の反りや蛇行などの変形を有効に矯正できる。
【００４６】
前記凹溝は、前記線材の幅／厚さの比が１〜６０である前記線材に対応した溝幅と深さを有するものとすることができる。
線材の幅／厚さの比は１〜６０であると、線材長手方向の反り及び線材幅方向の反りをより有効に矯正できるので好ましい。この比が６０よりも大きい断面を有する横長の線材であると、矯正ロールによる線材幅方向の変形の矯正が困難となってしまう。一方、この比が１よりも小さい断面を有する縦長の線材であると、矯正ロールによる線材幅方向の変形の矯正が効きすぎるため、適正な条件設定が困難となってしまう。線材の幅／厚さの比は好ましくは２〜４０、より好ましくは５〜２０とされる。
【００４７】
前記凹溝の溝側面と、該凹溝の設けられていない前記矯正ロールの表面とが交わる前記凹溝開口の角部に、丸みまたは面取りを施すことが好ましい。
凹溝開口の角部に丸みまたは面取りを施すと、線材の幅方向側面が削られたり、線材が凹溝外の矯正ロール（ガイドリング）上に乗り上げてしまったりするという不具合を軽減でき、より有効に線材の形状を矯正することができる。
【００４８】
前記凹部を設けた溝付きの矯正ロールは、両端面に凸状の係止部または凹状の被係止部がそれぞれ設けられ、側面が前記リング状の凹溝の底面を構成する円柱状のロール本体と、前記ロール本体の両端面にそれぞれ突合して前記凹溝の側面を形成するリング平面を有し、該リング平面に前記ロール本体の係止部または被係止部が係止される、凹状の被係止部または凸状の係止部を有する一対のリング状のガイドリングと、から構成し、前記ロール本体の係止部または被係止部に、前記ガイドリングの被係止部または係止部を取り外し可能に係止するようにすることができる。
ロール本体に対してガイドリングが取り外し可能であり、ロール本体の長さ、すなわち凹溝幅を変更できる構造となっているので、ロール本体を、線材の幅方向サイズに合せたロール本体に交換することにより、線材矯正装置を種々の線材幅に自在に対応させることができる。
【００４９】
前記矯正ロールの前記線材の引き出し方向の上流側に、前記線材にテンションを負荷するテンション負荷手段を設けることが好ましい。
このテンションの負荷によって、線材を安定して引き出すことができ、線材幅方向及び線材長手方向の変形を矯正する際にばらつきが生じるおそれがなく、より変形のない線材を得ることができる。
【００５０】
前記矯正ロールの前記線材の引き出し方向の上流側に、その自重により前記線材にテンションを負荷する移動自在なローラを設けることが好ましい。
このテンションの負荷によって、線材を安定して引き出すことができ、線材幅方向及び線材長手方向の変形を矯正する際にばらつきが生じるおそれがなく、より変形のない線材を得ることができる。
【００５１】
また、隣接する太陽電池セル同士をリード線を介して電気的に接続する太陽電池の組立
て装置であって、前記リード線の矯正装置として上述した線材矯正装置を備える太陽電池の組立て装置を提供することができる。
隣接する太陽電池セル同士を変形のないリード線を介して精度よく、かつ、確実に接続することができ、電気的信頼性の高い太陽電池モジュールを歩留まりよく製造することができる。
【００５２】
また、本実施の形態の線材矯正装置は、太陽電池の組立て装置の他に、予めコイル形状に巻き付けた各種の線材を別のコイル形状に巻き直す線材の巻き直し装置に組込むことも可能である。
【実施例】
【００５３】
［実施例１、２、比較例１］
実施例１、２、比較例１ともに、ボビンに巻き取られた厚さ０．２ｍｍ、幅２ｍｍの共通の偏平線材を準備した。
実施例１、２は、図１に示した線材矯正装置１０を用いて偏平線材を矯正したものである。ボビンに巻き取られた偏平線材を引き出すと共に、線材矯正装置１０にそれぞれ供給し、偏平線材に対して複数の溝付き水平ロールで矯正加工を施した。偏平線材に用いる線材矯正装置の各ロール径は８０ｍｍ（実施例１）、３０ｍｍ（実施例２）とした。これに対して比較例１は、従来のストレッチャ方式で２％伸びを与えて引張り矯正したものである。
矯正前と矯正後における偏平線材の変形量を比較した。ここで言う変形量は、偏平線材の長さ１５０ｍｍ当たりの変形量である。また、矯正前と矯正後における０．２％耐力を比較した。更に、矯正後のリード線を接着した太陽電池セルの反りを比較した。評価に用いたセルは２００μｍの厚さを持つもので、リード線を太陽電池セルに接着するための、はんだにはＳｎ−Ａｇ−Ｃｕ系の鉛フリーはんだを用いている。これらの比較結果を図７に示す。
【００５４】
図７に示すように、実施例１、２の各偏平線材における矯正後の線材長手方向の変形量（反り量）はそれぞれ１ｍｍ、０．８ｍｍであり、矯正前の約１／７０〜１／８７になった。また、実施例１、２の各偏平線材における矯正後の線材幅方向の変形量（蛇行量）はそれぞれ０．５ｍｍ、０．４ｍｍであり、矯正前の約１／２〜１／２５になった。また、実施例１、２の各偏平線材における矯正後の０．２％耐力はそれぞれ５３ＭＰａ、５５ＭＰａであり、矯正前の６％増、１０％増になった。また、矯正後のリード線を接着した太陽電池セルの反りはそれぞれ４．５ｍｍ、５ｍｍであった。
【００５５】
これに対して比較例１の偏平線材における矯正後の線材長手方向の変形量（反り量）は１ｍｍであり、矯正前の約１／７０になった。また、比較例１の偏平線材における矯正後の線材幅方向の変形量（蛇行量）は０．５ｍｍであり、矯正前の約１／２になった。また、比較例１の偏平線材における矯正後の０．２％耐力は７５ＭＰａであり、矯正前の５０％増になった。また、矯正後の偏平線材（リード）を接着したセルの反りは７ｍｍであった。
【００５６】
以上より、本実施の形態の線材矯正装置を用いて偏平線材の矯正を行うことで、偏平線材の耐力を増加させずに、ほぼ真直な線材が得られることが確認できた。また、本実施の形態の太陽電池の組立て装置を用いて太陽電池セルにリード線を接着することで、反りの少ない太陽電池セルが得られることが確認できた。
【００５７】
［実施例３、４、比較例２〜４］
図２（ｄ）に示したＡ部のロールエッジ加工寸法（面取り寸法）が異なる５種類の水平ロールを準備した。各ロールエッジ加工寸法は、０．０５ｍｍ（実施例３）、２．０ｍｍ
（実施例４）、０．０２ｍｍ（比較例２）、２．５ｍｍ（比較例３）、３．０ｍｍ（比較例４）とした。これらの水平ロールを図１に示した線材矯正装置１０に組み込んだ。
【００５８】
実施例３、４、比較例２〜４ともに、ボビンに巻き取られた厚さ０．２ｍｍ、幅２ｍｍの共通の偏平線材を準備した。ボビンに巻き取られた偏平線材を引き出すと共に、図１に示した線材矯正装置１０にそれぞれ供給し、偏平線材に対して溝付き水平ロール式で矯正加工を施した。そのときのロールエッジ加工寸法の違いによる偏平線材の線材側面削れ、およびガイドリングへの乗り上げを比較した。比較結果を図８に示す。
【００５９】
図８において、線材側面削れ「△」は、線材の側面の削れが発見された場合、線材側面削れ「○」は、線材の側面の削れが発見されなかった場合を意味する。また、ガイドリングへの乗り上げ「○」は乗り上げが一切なかった場合を意味し、ガイドリングへの乗り上げ「×」は線材の幅方向中央部まで乗り上げがあった場合を意味し、ガイドリングへの乗り上げ「△」は、線材の幅方向中央部まで乗り上げが若干発見されたが、線材が自力で適正な軌道に戻ったものを意味する。
【００６０】
図８に示すように、実施例３、４の面取り寸法０．０５ｍｍ〜２．０ｍｍの水平ロールを用いた場合では線材の側面の削れが発見されず、またガイドリングへの乗り上げは一切なかった。
【００６１】
これに対して、比較例２の水平ロールを用いた場合ではガイドリングへの乗り上げは一切なかったものの、線材の側面の削れが発見された。また、比較例３では線材の側面削れは発見されなかったものの、線材の幅方向中央部まで乗り上げが若干発見されたが、偏平線材が自力で適正な軌道に戻った。また、比較例４では線材の側面削れは発見されなかったものの、線材の幅方向中央部まで乗り上げがあった。
【００６２】
以上より、本実施の形態の線材矯正装置を用いて偏平線材の矯正を行うことで、線材側面削れがない線材が得られ、また、ロール加工部への乗り上げがないことが確認できた。
【００６３】
［実施例５、比較例５］
２種類の水平ロールを準備した。水平ロールははめ込み構造（実施例５）、一体削り出し構造（比較例５）とした。これらの水平ロールを図１に示した線材矯正装置１０に組み込んだ。
【００６４】
実施例５、比較例５ともに、ボビンに巻き取られた厚さ０．２ｍｍ、幅２ｍｍの共通の偏平線材を準備した。ボビンに巻き取られた偏平線材を引き出すと共に、図１に示した線材矯正装置１０にそれぞれ供給し、偏平線材に対して溝付き水平ロール式で矯正加工を施した。そのときの水平ロール構造の違いによる線材側面変形を比較した。比較結果を図９に示す。
【００６５】
図９において、線材側面変形「△」は、線材を幅方向に見た場合に中央部から側面部までの高低差が０．２ｍｍ以上であったものを意味し、線材側面変形「○」はほぼ変形がみられなかったものを意味する。
【００６６】
図９に示すように、実施例５の構造の水平ロールを用いた場合では線材側面変形はほぼ変形がみられなかった。これに対して、比較例５の構造の水平ロールを用いた場合では線材を幅方向に見た場合に中央部から側面までの高低差が０．２ｍｍ以上であった。
【００６７】
以上より、本実施の形態の構造の水平ロールを用いて偏平線材の矯正を行うことで、線材側面変形がない線材が得られることが確認できた。
【図面の簡単な説明】
【００６８】
【図１】本発明の一実施の形態における線材矯正装置の概略図であり、（ａ）は平面図、（ｂ）は側面図である。
【図２】図１に示す溝付きロール構造の説明図であり、（ａ）は平面図、（ｂ）は側面図、（ｃ）はＡ部拡大図、（ｄ）はＡ部拡大図である。
【図３】図２の変形例を示す溝付きロール構造の説明図であり、（ａ）は平面図、（ｂ）は分解平面図、（ｃ）は分解平面図、（ｄ）はＢ部拡大図、（ｅ）はＢ部拡大図である。
【図４】図１の変形例を示す線材矯正装置の側面図である。
【図５】本本実施の形態における太陽電池の組立て装置の概略構成を示す平面図である。
【図６】本実施の形態における太陽電池セルへの接続用リード線の接続状態を示す斜視図である。
【図７】実施例と比較例における線材の形状矯正の比較結果を示す図である。
【図８】実施例と比較例における溝付きロールのエッジ加工寸法における線材側面削れ、ガイドリングへの乗り上げの有無の比較結果を示す図である。
【図９】実施例と比較例における溝付きロールの構造における線材側面変形の有無の比較結果を示す図である。
【図１０】線材の変形を説明する図であって、（ａ）は線材幅方向の変形を有する線材の斜視図、（ｂ）は線材長手方向の変形を有する線材の斜視図である。
【図１１】従来例の線材矯正装置の一つであるストレッチャの側面図である。
【図１２】従来例の線材矯正装置の一つであるローラレベラの側面図である。
【図１３】従来例の垂直ロールを配したローラレベラを説明する図であって、（ａ）は平面図、（ｂ）は側面図である。
【図１４】図１３の変形例を示す平面図である。
【符号の説明】
【００６９】
１１  偏平線材
１０  線材矯正装置
１２  水平ロール（矯正ロール）
２０  凹溝
【図１】
2008284560.tif 000003
【図２】
2008284560.tif 000004
【図３】
2008284560.tif 000005
【図４】
2008284560.tif 000006
【図５】
2008284560.tif 000007
【図６】
2008284560.tif 000008
【図７】
2008284560.tif 000009
【図８】
2008284560.tif 000010
【図９】
2008284560.tif 000011
【図１０】
2008284560.tif 000012
【図１１】
2008284560.tif 000013
【図１２】
2008284560.tif 000014
【図１３】
2008284560.tif 000015
【図１４】
2008284560.tif 000016